(57)【要約】【課題】  撮影後に撮像者が色空間を変更したい場合には、ＰＣアプリケーションで変更しなければならないといった手間がかかっていた。【解決手段】  入力された画像データに所定の画像補正処理を行うデジタルスチルカメラ等の撮像装置において、複数の異なる色空間情報を設定し、ユーザからの１回の撮像指示に応じて、自動的に入力された画像データに異なる色空間を識別するための識別情報を関連付けて記憶する。また、画像データの識別情報をもとに色空間ごとに前記画像データを表示する。【選択図】  図１
2005192197.tif 000002
【特許請求の範囲】
【請求項１】
ユーザの操作により撮像指示をするための撮像指示手段と、
画像データを入力する画像入力手段と、
複数の異なる色空間情報を設定する色空間設定手段と、
前記撮像指示手段による１回の撮像指示に応じて、前記画像入力手段により画像データを入力すると共に、入力された画像データと前記設定手段によって設定された複数の異なる色空間情報を自動的に関連付けて記憶する記憶手段と、
を備えたことを特徴とする撮像装置。
【請求項２】
前記色空間設定手段により設定された複数の異なる色空間情報に基づいて前記画像データに画像処理を行なう画像処理手段を更に備えることを特徴とする請求項１記載の撮像装置。
【請求項３】
画像処理手段は、前記撮像指示手段によるユーザの一回の撮像指示に応じて自動的に前記画像入力手段による１画面分の画像データの入力を行うと共に、前記１画面分の画像データに対して前記画像処理手段による画像処理を前記色空間設定手段によって設定された複数の異なる色空間ごとに行うことを特徴とする請求項２記載の撮像装置。
【請求項４】
前記画像処理手段は、前記撮像指示手段によるユーザの一回の撮像指示に応じて自動的に前記画像前記画像入力手段により複数画面分の画像データを順次入力すると共に、
前記複数画面分の画像データに対して前記画像処理手段による画像処理を前記色空間設定手段によって設定された複数の異なる色空間ごとに行うことを特徴とする請求項２記載の撮像装置。
【請求項５】
前記記憶手段に記憶する画像データを色空間毎に異なるディレクトリに保存することを特徴とする請求項１記載の撮像装置。
【請求項６】
前記１回の撮像指示に応じて自動的に記憶される複数の画像を、別の撮像指示に応じて自動的に記憶される複数の画像とは異なるディレクトリに保存することを特徴とする請求項１記載の撮像装置。
【請求項７】
前記画像データのファイル名を異なる色空間毎に変更することを特徴とする請求項１記載の撮像装置。
【請求項８】
前記画像データの拡張子を色空間毎に変更することを特徴とする請求項１記載の撮像装置。
【請求項９】
前記画像データに、前記複数の異なる色空間を識別するための識別情報を付加することを特徴とする請求項１記載の撮像装置。
【請求項１０】
前記画像データのヘッダ領域に前記識別情報を付加することを特徴とする請求項９記載の撮像装置。
【請求項１１】
前記識別情報は前記画像データのファイル名であることを特徴とする請求項９記載の撮像装置。
【請求項１２】
前記識別情報は前記画像データの拡張子であることを特徴とする請求項９記載の撮像装置。
【請求項１３】
前記画像データを表示する表示手段を有し、
前記画像データの識別情報を前記表示手段に表示することを特徴とする請求項９の撮像装置。
【請求項１４】
ユーザの操作により撮像指示をするための撮像指示工程と、
画像データを入力する画像入力工程と、
複数の異なる色空間情報を設定する色空間設定工程と、
前記撮像指示手段による１回の撮像指示に応じて、前記画像入力手段により画像データを入力すると共に、入力された画像データと前記設定手段によって設定された複数の異なる色空間情報を自動的に関連付けて記憶する記憶工程と、
を備えたことを特徴とする撮像方法。
【請求項１５】
請求項１４に記載の撮像方法を記憶したコンピュータ読取可能な記録媒体。
【請求項１６】
請求項１４に記載の撮像方法をコンピュータに実行させるためのコンピュータ用プログラム。
【請求項１７】
画像データを入力する画像入力手段と、
複数の異なる色空間情報を設定する色空間設定手段と、
前記画像入力手段により画像データを入力すると共に、入力された画像データと前記設定手段によって設定された複数の異なる色空間を識別するための識別情報を自動的に関連付けて記憶する記憶手段と、
前記色空間設定手段により設定された複数の異なる色空間情報に基づいて前記画像データに画像処理を行なう画像処理手段と、
前記画像処理手段によって画像処理が施された前記画像データを表示する表示手段と、を有し、
前記画像データの識別情報をもとに前記色空間ごとに前記画像データを手段に表示することを特徴とする表示装置。
【請求項１８】
前記識別情報は前記画像データのファイル名であることを特徴とする請求項１７記載の表示装置。
【請求項１９】
前記識別情報は前記画像データの拡張子であることを特徴とする請求項１７記載の表示装置。
【発明の詳細な説明】
【技術分野】
【０００１】
本発明は、出力する画像の色空間を変更可能なデジタルスチルカメラ、デジタルビデオカメラ、カメラ付き携帯電話，スキャナ等の撮像装置、撮像方法、記録媒体及びプログラムに関する。
【背景技術】
【０００２】
従来、被写体を撮影した画像データの色空間を指定する場合には、例えばｓＲＧＢやＡｄｏｂｅＲＧＢといった色空間が外部から選択可能なデジタルスチルカメラにおいて、撮像を行う前に撮像者が所望の色空間を一枚ごとに指定していた。また、複数の色空間の画像データを得る場合は、１枚分の撮影ごとに所望の色空間に設定を変更し、複数回の撮影を行っていた。
【０００３】
また、デジタルスチルカメラで撮像された画像データの色空間を撮像後に変更したい場合には、撮像後のデータに対して、フォトレタッチソフト等のＰＣアプリケーションソフトで色空間変換処理を行っていた。また、撮影後の画像データを同様にＰＣアプリケーションソフトによって、色合いを変えることも行われている（例えば、特許文献１参照）。
【０００４】
また、デジタルカメラにおいて、１回のレリーズボタンを押すことによって、撮影前にホワイトバランス補正値や露出値を設定し、設定値を段階的にシフトさせた複数の画像データが得られるオートブラケッティング撮影という機能が知られている（例えば、特許文献１を参照）。
【特許文献１】特開平０６−２６８８５６
【発明の開示】
【発明が解決しようとする課題】
【０００５】
しかし、従来のデジタルスチルカメラでは、撮像者が１画面分の画像の撮像毎に事前に色空間を設定しているので、撮影後に撮像者が色空間を変更したい場合には、ＰＣアプリケーションで変更しなければならないといった手間がかかっていた。
【０００６】
また、ＰＣアプリケーションソフトでは、図９で示されるようにｓＲＧＢのように狭い色空間で彩度の高い被写体を撮像し、色が飽和してしまった場合に、ｓＲＧＢ空間よりも広い（例えば、ＡｄｏｂｅＲＧＢ）色空間に変換しても飽和してしまった色に関しては正しく色を表現することが出来なかった。その為、２つ以上の異なる色空間の画像を必要とする場合、撮像者は常に広い色空間で撮像を行い、後にＰＣアプリケーションソフトで必要な色空間に変更するか、撮影前に予めデジタルスチルカメラの色空間選択メニューで設定を変更して、色空間毎に撮像を行わなければならなかった。
【０００７】
また、図９に示したように、ＰＣアプリケーションソフトによって、例えばｓＲＧＢ空間で定義されている画像データの色合いを変更する場合は、同一の色空間内でのＰ０からＰ２といった色合いの変更はできても、ｓＲＧＢ空間内の色Ｐ０がＰ１に変更されるといった定義された色空間外の色に写像することは不可能であったため、色再現性の低下し、色調整において不具合を生じていた。
【課題を解決するための手段】
【０００８】
本願発明の撮像装置は、ユーザの操作により撮像指示をするための撮像指示手段と、
画像データを入力する画像入力手段と、
複数の異なる色空間情報を設定する色空間設定手段と、
前記撮像指示手段による１回の撮像指示に応じて、前記画像入力手段により画像データを入力すると共に、入力された画像データと前記設定手段によって設定された複数の異なる色空間情報を自動的に関連付けて記憶する記憶手段と、
を備えたことを特徴とする。
【０００９】
また、本願発明の撮像方法は、ユーザの操作により撮像指示をするための撮像指示工程と、
画像データを入力する画像入力工程と、
複数の異なる色空間情報を設定する色空間設定工程と、
前記撮像指示手段による１回の撮像指示に応じて、前記画像入力手段により画像データを入力すると共に、入力された画像データと前記設定手段によって設定された複数の異なる色空間情報を自動的に関連付けて記憶する記憶工程と、
を備えたことを特徴とする。
【００１０】
また、本願発明の表示装置は、画像データを入力する画像入力手段と、
複数の異なる色空間情報を設定する色空間設定手段と、
前記画像入力手段により画像データを入力すると共に、入力された画像データと前記設定手段によって設定された複数の異なる色空間を識別するための識別情報を自動的に関連付けて記憶する記憶手段と、
前記色空間設定手段により設定された複数の異なる色空間情報に基づいて前記画像データに画像処理を行なう画像処理手段と、
前記画像処理手段によって画像処理が施された前記画像データを表示する表示手段と、を有し、
前記画像データの識別情報をもとに前記色空間ごとに前記画像データを手段に表示することを特徴とする。
【発明の効果】
【００１１】
本願発明によれば、一回の撮像指示操作に応じて異なる色空間の画像を自動的に記憶する色空間ブラケット撮像を行うことが出来る為、容易に複数の異なる色空間の画像を得ることが出来る。また、複数の異なる色空間の画像中から撮像者が意図する色空間の画像を選択可能になる為、使用用途に合わせた画像再処理や、撮像のやり直しを回避することが出来る。
【００１２】
また、本願発明の表示方法によれば、ユーザは撮影後、同一のシーンの異なる色空間の画像を容易に比較し、確認することが出来る。
【発明を実施するための最良の形態】
【００１３】
以下、本発明を適用したデジタルスチルカメラの好適な実施の形態について添付図面を参照して詳細に説明する。なお、本発明はこの実施形態に限定されるものではない。
【００１４】
図１は、本発明の実施の形態にかかる撮像装置としてのデジタルスチルカメラのシステム構成を示すブロック図である。なお、撮像装置は一体型でなくても別体型でも良い。
【００１５】
デジタルスチルカメラ１００は、このカメラ全体を統括的に制御するマイクロコンピュータ（以下マイコンという）１１２を備えている。マイコン１１２には、後述する、画像入力手段としての入力装置１０１、フレームメモリ１０２、画像処理装置１０３、バッファメモリ１１０、外部記憶装置１１１が接続されている。
【００１６】
入力装置１０１はいずれも不図示であるが、レンズユニット、ＣＣＤ（ｃｈａｒｇｅ  ｃｏｕｐｌｅｄ  ｄｅｖｉｃｅ）やＣＭＯＳ等の撮像素子、前記撮像素子を駆動する為のタイミングジェネレータ（制御信号発生器）、前記撮像素子の出力電気信号（アナログ信号）をデジタルデータに変換するＡ／Ｄ変換器等から構成されている。
【００１７】
フレームメモリ１０２は、前記Ａ／Ｄ変換機で変換されたデジタルデータを蓄積する画像メモリである。バッファメモリ１１０は、画像処理装置１０３で処理された撮像データを格納する為のものである。
【００１８】
フレームメモリ１０２に蓄積されたデジタルデータに対し画像処理を施す画像処理装置１０３は、後述する、色補間処理部１０４、ホワイトバランス処理部１０５、色変換処理部１０６、ガンマ補正処理部１０７、エッジ強調処理部１０８、データ圧縮部１０９を備えている。
【００１９】
マイコン１１２は、一般的に知られているマイクロコンピュータシステムが採用され、何れも不図示であるが、制御プログラムに基づいて所定の制御（撮像、記録、再生など）を実行するＣＰＵ，制御プログラムが格納されているＲＯＭ、作業領域として使用されるＲＡＭなどによって構成されている。外部記憶装置１１１は、バッファメモリ１１０に格納されたデータを蓄積しておく為のものである。これには、例えばＣｏｍｐａｃｔＦｌａｓｈカード（以下ＣＦカードという）やスマートメディア、ＳＤカード等が用いられる。１１３は、撮影時に電子ビューファインダとして使用したり、撮影画像を表示して確認するためのモニタである。１１４は、プリンタやディスプレイ等の外部機器との入出力を行うＩ／Ｏポートである。１１５は、１１４のＩ／Ｏポートを介して接続されるプリンタであり、１１４のＩ／Ｏポートを介して出力されたデジタルスチルカメラ１００で撮影された撮影画像データの印刷を行う。
【００２０】
以下に画像処理装置１０３内におけるそれぞれの処理部の詳細を説明する。
【００２１】
入力装置１０１内の前記撮像素子の色フィルタは例えば図２に示すようにベイヤー配列等になっており各画素にはＲ，Ｇ，Ｂいずれかの色情報しか存在しない。そこで色補間処理部１０４にて各画素のＲ，Ｇ，Ｂデータをその補間対象画素の周辺の画素データを用いて補間する。
【００２２】
ホワイトバランス補正処理部１０５では、色補間処理が施された画像データに対し、マイコンから指定される所定のホワイトバランス補正係数でホワイトバランス補正処理を施す。
【００２３】
色変換処理部１０６では、ホワイトバランス補正処理が施された画像データに対し、所定の色変換係数を用いて彩度、明度、色相等の補正を施す。ここで用いられる色変換係数は色空間毎に異なり、この係数を変更することで様々な色空間用の画像を作成する。
【００２４】
ガンマ補正処理部１０７では、マイコンから指定される所定のガンマ補正係数を用いてガンマ補正を行う。これにより、画像の階調性が補正される。
【００２５】
エッジ強調処理部１０８では、マイコンから指定される所定のエッジ強調係数（アパーチャー係数）を用いて、画像のエッジの強弱を変更する。
【００２６】
データ圧縮部１０９では、例えばＪＰＥＧ（Ｊｏｉｎｔ  Ｐｈｏｔｏｇｒａｐｈｉｃ  Ｅｘｐｅｒｔｓ  Ｇｒｏｕｐ）方式により前述した全ての色処理が施された画像を、マイコンから指定される所定の圧縮率で圧縮を行う。
【００２７】
また、図１では示していないが、デジタルスチルカメラ１００は、撮像を指示する撮像指示手段としてのレリーズボタン、およびその他の各種設定を外部から行う為のボタンやダイアル等の操作部と画像等を表示する表示部を備えている。画像処理装置１０３内で使用される、前述した、ホワイトバランス補正係数、色変換係数、ガンマ補正係数、エッジ強調係数、ＪＰＥＧ圧縮率、等の各種画像処理係数は、前記操作部を用いて外部から設定変更することが出来る。
【００２８】
次に、以上のように構成されたデジタルスチルカメラの動作について６つの異なる実施形態を説明する。なお、前述の構成については、実施形態１〜６において共通しているので、省略する。
【００２９】
＜第１の実施形態＞
まず１つ目の実施形態として、撮像指示手段の１回の操作に応じて自動的に２回の画像入力（撮像）動作を行い、撮像毎に異なる色空間（ｓＲＧＢとａｄｏｂｅＲＧＢ）の画像を形成し順番に出力する色空間ブラケット撮像モードにおいて、画像を各色空間毎にディレクトリあるいは、フォルダを分けて、外部記憶装置１１１に出力する動作について以下に説明する。なお、本実施形態では２つの色空間の画像を出力するケースについて説明するが、色空間は２つ以上であっても良いし、またｓＲＧＢとａｄｏｂｅＲＧＢに限定するものではない。
【００３０】
図３は、本発明の第１実施形態にかかるデジタルスチルカメラ１００の動作例を示すフローチャートである。以下、このフローチャートを参照して説明する。
【００３１】
まず、撮像をする前にユーザにより、色空間のブラケット撮像時にどの色空間の画像を出力するかの選択設定が行われる。ここで、色空間の選択は２つ以上とする。第１の実施形態ではｓＲＧＢとａｄｏｂｅＲＧＢの２つの色空間が選択されたとする。この場合、選択された色空間用の画像処理を施し撮像毎に順番に画像を出力する。例えば撮像１駒目はｓＲＧＢで画像を出力し、２駒目はａｄｏｂｅＲＧＢで出力し、これを１セットとする。選択された色空間が３つ以上の場合にも同様に、その色空間の数の撮像駒数を１セットとして、自動的に繰り返し色空間を変更して撮像する。色空間の設定は１つの色空間を設定すると、設定された色空間の領域に近い色空間を自動的に２つ以上設定するようにしてもよい。例えば、ｓＲＧＢ空間が設定されると、もう１つは、図９に示したｓＲＧＢ空間よりも大きなＡｄｏｂｅＲＧＢ空間が自動的に設定されるように撮影画像の色空間の領域を異ならせたブラケット撮影を行うことが出来る。
【００３２】
上記条件設定後、ユーザにより撮像を指示するレリーズボタンが押されると、１駒目の撮像が開始され、入力装置１０１から撮像データが入力される。（ステップｓ３０１）具体的には画像の取り込みは、レンズを通して結像した被写体像をＣＣＤ等の撮像素子で光電変換し、その電気信号をＡ／Ｄ変換器を経てデジタルの画像データとしてフレームメモリ１０２に出力される。
【００３３】
次にマイコン１１２は前記色空間選択手段で選択されたｓＲＧＢとａｄｏｂｅＲＧＢ色空間の内、ｓＲＧＢの色空間用の画像処理パラメータ（色変換係数）で現像処理を施すように画像処理装置１０３に指示を出す（ステップｓ３０２）。
【００３４】
画像処理装置では、色補間、ホワイトバランス補正、を行った後、前記マイコンからの支持に従い、ｓＲＧＢ用の色変換係数を用いて色変換処理を行う。続いて、ガンマ補正、エッジ強調処理を施した後、ＪＰＥＧ等に画像を圧縮する（ステップｓ３０３）。
【００３５】
前記圧縮された画像ファイルは、ファイルのヘッダ部にｓＲＧＢの色空間情報とブラケット撮影番号情報を付加した後、バッファメモリ１１０に出力される（ステップｓ３０４）。ここで、ブラケット撮影１枚目の画像なので情報には１を入力する。ブラケット撮影されていない場合には、この情報には０が入力される。
【００３６】
ステップｓ３０５において、外部記憶装置内に「ｓＲＧＢ」ディレクトリあるいは、フォルダが存在しない場合、「ｓＲＧＢ」という名前のディレクトリあるいは、フォルダを作成し（ステップｓ３０６）、その中に前記ｓＲＧＢの画像を記録する（ステップｓ３０７）。
【００３７】
ステップｓ３０５において、外部記憶装置内に「ｓＲＧＢ」ディレクトリあるいは、フォルダが既に存在している場合、「ｓＲＧＢ」ディレクトリあるいは、フォルダ内に前記ｓＲＧＢの画像を記録する（ステップｓ３０７）。
【００３８】
ここではディレクトリあるいは、フォルダの名前を「ｓＲＧＢ」としているが、この名前はそれに限るものではない。但し、同じ色空間のディレクトリ或いはフォルダ内でファイル名が重複しないようにファイル名を付与する。
【００３９】
ここまでで、ブラケット撮像用の色空間として予め設定されていたｓＲＧＢとａｄｏｂｅＲＧＢの２つの色空間の内、ｓＲＧＢの記録処理が行われた。設定した色空間の数だけ、ステップｓ３０１からステップｓ３０７までの処理を繰り返す（ステップｓ３０８）。
【００４０】
ここでは、２駒目がａｄｏｂｅＲＧＢで設定されているので、その処理について同様に説明する。
【００４１】
続いて２駒目の撮像が行われる、再び入力装置１０１から撮像データが入力される（ステップｓ３０１）。
【００４２】
次にマイコン１１２は前記色空間選択手段で選択されたｓＲＧＢとａｄｏｂｅＲＧＢ色空間の内、ａｄｏｂｅＲＧＢの色空間用の画像処理パラメータ（色変換係数）で現像処理を施すように画像処理装置１０３に指示を出す（ステップｓ３０２）。
【００４３】
画像処理装置では、色補間、ホワイトバランス補正、を行った後、前記マイコンからの支持に従い、ａｄｏｂｅＲＧＢ用の色変換係数を用いて色変換処理を行う。続いて、ガンマ補正、エッジ強調処理を施した後、ＪＰＥＧ等に画像を圧縮する（ステップｓ３０３）。
【００４４】
前記圧縮された画像ファイルは、ファイルのヘッダ部にａｄｏｂｅＲＧＢの色空間情報とブラケット撮影番号情報を付加した後、バッファメモリ１１０に出力される（ステップｓ３０４）。ここで、ブラケット撮影２枚目の画像なので情報には２を入力する。
【００４５】
ステップｓ３０５において、外部記憶装置内に「ａｄｏｂｅＲＧＢ」ディレクトリあるいは、フォルダが存在しない場合、「ａｄｏｂｅＲＧＢ」という名前のディレクトリあるいは、フォルダを作成し（ステップｓ３０６）、その中に前記ａｄｏｂｅＲＧＢの画像を記録する（ステップｓ３０７）。
【００４６】
ステップｓ３０５において、外部記憶装置内に「ａｄｏｂｅＲＧＢ」ディレクトリあるいは、フォルダが既に存在している場合、「ａｄｏｂｅＲＧＢ」ディレクトリあるいは、フォルダ内に前記ａｄｏｂｅＲＧＢの画像を記録する（ステップｓ３０７）。
【００４７】
ここではディレクトリあるいは、フォルダの名前を「ａｄｏｂｅＲＧＢ」としているが、この名前はそれに限るものではない。但し、同じ色空間のディレクトリ或いはフォルダ内でファイル名が重複しないようにファイル名を付与する。
【００４８】
ここまでで、ブラケット撮像用の色空間として予め設定されていたｓＲＧＢとａｄｏｂｅＲＧＢの２つの色空間の画像が出力された。色空間のブラケット撮像としてｓＲＧＢとａｄｏｂｅＲＧＢの１セットの撮像が終了する。
【００４９】
即ち、ｓＲＧＢとａｄｏｂｅＲＧＢの２つの色空間のブラケット撮像の場合、前記２つの色空間をブラケットの１セットとし、シャッターレリーズ１回で２駒の撮像が自動的に行われ１セットの撮像が終了する。同様に３つ以上の色空間のブラケット撮像の場合にも、その色空間の数の駒数撮像すると１セットの撮像が終了となる。
【００５０】
このように、第１の実施形態によれば、出力する画像ファイルを色空間毎に異なるディレクトリあるいは、フォルダに保存する為、後の画像の管理を容易に行うことが出来る。
【００５１】
＜第２の実施形態＞
２つ目の実施形態として、１回の撮像指示に応じて２回の画像入力（撮像）動作を行い、撮像毎に異なる色空間（ｓＲＧＢとａｄｏｂｅＲＧＢ）の画像を順番に出力する色空間ブラケット撮像モードにおいて、画像を各色空間毎にファイル名を変更し、外部記憶装置１１１に出力する動作について以下に説明する。
【００５２】
図４は、本発明の第２実施形態の形態にかかるデジタルスチルカメラ１００の動作例を示すフローチャートである。以下、このフローチャートを参照して説明する。
【００５３】
まず、ステップｓ４０１〜ｓ４０４において図３のステップｓ３０１〜ｓ３０４と同様に最初にｓＲＧＢの色空間情報になるように制御され、ｓＲＧＢの色空間情報とブラケット撮影番号情報を負荷してバッファメモリ１１０に出力する。ここで、ブラケット撮影１枚目の画像なので情報には１を入力する。ブラケット撮影されていない場合には、この情報には０が入力される。
【００５４】
ステップｓ４０５において、バッファメモリ１１０に記録されているｓＲＧＢの画像を外部記憶装置１１１に記録する前にｓＲＧＢの画像のファイル名を「ｓ００００．ｊｐｇ」とする。（ステップｓ４０５）ファイル名は本実施形態では「ｓ」としているが、色空間毎に異なる名前であれば、これに限定はしない。最後にこの画像を外部記憶装置１１１に記録する（ステップｓ４０６）。
【００５５】
ここまでの処理で、ブラケット撮像用の色空間として予め設定されていたｓＲＧＢとａｄｏｂｅＲＧＢの２つの色空間の内、ｓＲＧＢの処理は行われた。設定した色空間の数だけ、ステップｓ４０１からステップ４０６までの処理を繰り返す。（ステップｓ４０７）次に２駒目の撮影について同様に説明する。
【００５６】
続いて２駒目の撮像が行われ、再び入力装置１０１から撮像データが入力される（ステップｓ４０１）。
【００５７】
次にマイコン１１２は前記色空間選択手段で選択されたｓＲＧＢとａｄｏｂｅＲＧＢ色空間の内、ａｄｏｂｅＲＧＢの色空間用の画像処理パラメータ（色変換係数）で現像処理を施すように画像処理装置１０３に指示を出し（ステップｓ４０２）ａｄｏｂｅＲＧＢ用の色変換係数を用いて色変換処理を行い、前記圧縮された画像ファイルは、ファイルのヘッダ部にａｄｏｂｅＲＧＢの色空間情報とブラケット撮影番号情報を付加した後、バッファメモリ１１０に出力される（ステップｓ４０４）。ここで、ブラケット撮影２枚目の画像なので情報には２を入力する。
【００５８】
ステップｓ４０５において、バッファメモリ１１０に記録されているａｄｏｂｅＲＧＢの画像を外部記憶装置１１１に記録する前にａｄｏｂｅＲＧＢの画像のファイル名を「ａｄｏｂｅ００００．ｊｐｇ」とする。
【００５９】
ファイル名は本実施形態では「ａｄｏｂｅ」と色空間そのものを表す名前を用いているが、色空間毎に異なる名前であれば、これに限定はしない。最後にこの画像を外部記憶装置１１１に記録する（ステップｓ４０６）。
【００６０】
前記ファイル名（ｓ００００．ｊｐｇやａｄｏｂｅ００００．ｊｐｇ）において００００はファイル番号を示しており、各色空間毎のデータを外部記憶装置に記憶する毎にカウントを１ずつ上げていく。本実施形態ではカウント数はマイコン１１２内で色空間毎に個別に管理するが、色空間を区別せずにカウント数を管理しても良い。その場合には本実施形態では、「ｓ００００．ｊｐｇ」と「ａｄｏｂｅ０００１．ｊｐｇ」というファイルが出力される。
【００６１】
ここまでで、ブラケット撮像用の色空間として予め設定されていたｓＲＧＢとａｄｏｂｅＲＧＢの２つの色空間の画像が出力された。第１の実施例同様、色空間のブラケット撮像としてｓＲＧＢとａｄｏｂｅＲＧＢの１セットの撮像が終了する。
【００６２】
このように出力する画像ファイルに色空間毎に異なるファイル名あるいは、色空間を識別可能なファイル名として付加する為、後の画像の管理を容易に行うことが出来る（但し、ここでは例えば「ＩＭＧ＿０００１．ＪＰＧ」というファイルの場合、「ＩＭＧ＿」がファイル名、「０００１」はファイル番号、とする）。
【００６３】
＜第３の実施形態＞
３つ目の実施形態として、１回の撮像指示毎に２つの色空間（ｓＲＧＢとａｄｏｂｅＲＧＢ）の画像を順番に出力する色空間ブラケット撮像モードにおいて、画像ファイルを各色空間毎に拡張子を変更し、外部記憶装置１１１に出力する動作について以下に説明する。
【００６４】
図５は、本発明の第３の実施形態の形態にかかるデジタルスチルカメラ１００の動作例を示すフローチャートである。以下、このフローチャートを参照して説明する。
【００６５】
まず、例えば撮像１駒目はｓＲＧＢで画像を出力し、２駒目はａｄｏｂｅＲＧＢで出力し、これを１セットとする点は第１，第２の実施の形態と同様であり、ステップｓ５０１〜ｓ５０４はステップｓ３０１〜ｓ３０４と同様であるので説明は省略する。ステップｓ５０５において、バッファメモリ１１０に記録されているｓＲＧＢの画像を外部記憶装置１１１に記録する前にｓＲＧＢの画像のファイル名を「ＩＭＧ＿００００．ｓｊｐｇ」とする。（ステップｓ５０５）ファイルの拡張子は本実施形態では「ｓｊｐｇ」としているが、色空間毎に異なる名前であれば、これに限定はしない。最後にこの画像を外部記憶装置１１１に記録する（ステップｓ５０６）。
【００６６】
続いて２駒目の撮像が行われａｄｏｂｅＲＧＢ用の色変換係数を用いて色変換処理を行い、ファイルのヘッダ部にａｄｏｂｅＲＧＢの色空間情報を付加した後、バッファメモリ１１０に出力される（ステップｓ５０４）。
【００６７】
ステップｓ５０５において、バッファメモリ１１０に記録されているａｄｏｂｅＲＧＢの画像を外部記憶装置１１１に記録する前にａｄｏｂｅＲＧＢの画像のファイル名を「ＩＭＧ＿００００．ａｄｏｂｅｊｐｇ」とする。
【００６８】
ファイル名は本実施形態では「ａｄｏｂｅ」としているが、色空間毎に異なる名前であれば、これに限定はしない。最後にこの画像を外部記憶装置１１１に記録する（ステップｓ５０６）。
【００６９】
前記ファイル名（ＩＭＧ＿００００．ｓｊｐｇやＩＭＧ＿００００．ａｄｏｂｅｊｐｇ）において００００はファイル番号を示しており、各色空間毎のデータを外部記憶装置に記憶する毎にカウントを１ずつ上げていく。本実施形態ではカウント数はマイコン１１２内で色空間毎に個別に管理するが、色空間を区別せずにカウント数を管理しても良い。その場合には本実施形態のケースでは、「ＩＭＧ＿００００．ｓｊｐｇ」と「ＩＭＧ＿０００１．ａｄｏｂｅｊｐｇ」というファイルが出力される。
【００７０】
このように、出力する画像ファイルに色空間毎に異なる拡張子を付加する為、後の画像の管理を容易に行うことが出来る。
【００７１】
第１〜３の実施形態では、ユーザがレリーズボタンを１回押すだけで、ユーザが設定した色空間の数だけ、自動的に所定のピッチで撮像データが入力され、それぞれ異なる色空間の画像処理を行なった。従って、撮像毎に異なる色空間用の画像処理パラメータを用いることで、複数の異なる色空間の画像を出力するものであった。
【００７２】
第４〜６の実施形態では、ユーザがレリーズボタンを１回押すと、撮像データの入力が１回だけ行なわれ、その後この同じ撮像データに対して異なる色空間用の画像処理を施し、複数の異なる色空間の画像を出力する実施形態について説明する。
【００７３】
＜第４の実施形態＞
まず、一度の撮像に対し、２つの色空間（ｓＲＧＢとａｄｏｂｅＲＧＢ）の画像を各色空間毎にディレクトリあるいは、フォルダを分けて、外部記憶装置１１１に出力する動作について以下に説明する。なお、本実施形態では２つの色空間の画像を出力するケースについて説明するが、色空間は２つ以上であっても良いし、ｓＲＧＢとａｄｏｂｅＲＧＢに限定するものではない。
【００７４】
図６は、本発明の第４の実施形態の形態にかかるデジタルスチルカメラ１００の動作例を示すフローチャートである。以下、このフローチャートを参照して説明する。
【００７５】
まず、撮像をする前にユーザにより、どの色空間の画像を出力するかの選択が行われる。（ステップｓ６０１）ここで、色空間は複数を設定する。複数設定された場合は各撮像データに対し選択された複数の色空間の画像を出力する。第４の実施形態ではｓＲＧＢとａｄｏｂｅＲＧＢの２つの色空間が選択されたとする。但し、一度設定された色空間の設定は保持される為、撮像毎に毎回設定する必要はない。
【００７６】
上記条件設定後、ユーザにより撮像を指示するレリーズボタン（不図示）が押されると、撮像が開始され、入力装置１０１から撮像データが入力される。（ステップｓ６０２）具体的には画像の取り込みは、レンズを通して結像した被写体像をＣＣＤ等の撮像素子で光電変換し、その電気信号をＡ／Ｄ変換器を経てデジタルの画像データとしてフレームメモリ１０２に出力される。
【００７７】
次にマイコン１１２は前記色空間選択手段で選択されたｓＲＧＢ色空間用の画像処理パラメータ（色変換係数）で現像処理を施すように画像処理装置１０３に指示を出す（ステップｓ６０３）。
【００７８】
画像処理装置では、色補間、ホワイトバランス補正、を行った後、前記マイコンからの指示に従い、ｓＲＧＢ用の色変換係数を用いて色変換処理を行う。続いて、ガンマ補正、エッジ強調処理を施した後、ＪＰＥＧ等に画像を圧縮する（ステップｓ６０４）。
【００７９】
前記圧縮された画像ファイルは、ファイルのヘッダ部にｓＲＧＢの色空間情報を付加した後、バッファメモリ１１０に出力される（ステップｓ６０５）。
【００８０】
次に、ステップｓ６０１で選択された色空間の画像が全て出力されたかどうかを検出する。（ステップｓ６０６）この段階ではｓＲＧＢのみ出力され、もう１つの選択された色空間ａｄｏｂｅＲＧＢは出力されていないので、ステップｓ６０３に戻り、マイコン１１２はａｄｏｂｅＲＧＢ用の画像処理パラメータ（色変換係数）で現像処理を施すように画像処理装置１０３に指示を出す。（ステップｓ６０３）そして画像処理装置では、色補間、ホワイトバランス補正、を行った後、前記マイコンからの指示に従い、ａｄｏｂｅＲＧＢ用の色変換係数を用いて色変換処理を行う。続いて、ガンマ補正、エッジ強調処理を施した後、ＪＰＥＧ等に画像を圧縮する（ステップｓ６０４）。
【００８１】
前記圧縮された画像ファイルは、ファイルのヘッダ部にａｄｏｂｅＲＧＢの色空間情報を付加した後、バッファメモリ１１０に出力される（ステップｓ６０５）。
【００８２】
この時点でステップｓ６０６では選択された２つの色空間の画像が出力されたので、ステップｓ６０７に進む。
【００８３】
現時点ではバッファメモリ１１０にはｓＲＧＢとａｄｏｂｅＲＧＢの２つの色空間の画像が一時記録されている。ここで、外部記憶装置１１１にバッファメモリ１１０内のｓＲＧＢの画像を記録する為に、外部記憶装置１１１内に「ｓＲＧＢ」ディレクトリあるいは、フォルダが存在するかチェックを行う（ステップｓ６０７）。
【００８４】
ステップｓ３０７において、外部記憶装置内に「ｓＲＧＢ」ディレクトリあるいは、フォルダが存在しない場合、「ｓＲＧＢ」という名前のディレクトリあるいは、フォルダを作成し（ステップｓ６０８）、その中に前記ｓＲＧＢの画像を記録する（ステップｓ６０９）。
【００８５】
ステップｓ６０７において、外部記憶装置内に「ｓＲＧＢ」ディレクトリあるいは、フォルダが既に存在している場合、「ｓＲＧＢ」ディレクトリあるいは、フォルダ内に前記ｓＲＧＢの画像を記録する（ステップｓ６０９）。
【００８６】
ここではディレクトリあるいは、フォルダの名前を「ｓＲＧＢ」としているが、この名前はそれに限るものではない。但し、色空間毎にファイル名が重複しないようにする。
【００８７】
次にバッファメモリ１１０内の全ての色空間の画像がステップｓ６１０にて外部記憶装置６１１に記録されたかどうかを検出し、記録されていない場合にはステップｓ６０７に戻る（ステップｓ６０９）。
【００８８】
現段階ではｓＲＧＢの画像は記録されているが、ａｄｏｂｅＲＧＢの画像は記録されていない為、ステップｓ６０７に戻る。ステップｓ６０７において、外部記憶装置内に「ａｄｏｂｅＲＧＢ」ディレクトリあるいは、フォルダが存在しない場合、「ａｄｏｂｅＲＧＢ」という名前のディレクトリあるいは、フォルダを作成し（ステップｓ６０８）、その中に前記画像を記録する（ステップｓ６０９）。
【００８９】
ステップｓ６０７において、外部記憶装置内に「ａｄｏｂｅＲＧＢ」ディレクトリあるいは、フォルダが既に存在している場合、「ａｄｏｂｅＲＧＢ」ディレクトリあるいは、フォルダ内に前記画像を記録する。
【００９０】
ここではディレクトリあるいは、フォルダの名前を「ａｄｏｂｅＲＧＢ」としているが、この名前はそれに限るものではない。但し、色空間毎にファイル名が重複しないようにする。
【００９１】
次にバッファメモリ１１０内の全画像がステップｓ６１０にて外部記憶装置１１１に記録されたかどうかを再び検出する。この段階では選択されたｓＲＧＢとａｄｏｂｅＲＧＢの２つの画像が既に外部記憶装置１１１に記憶されている為、これで処理は終了となる。
【００９２】
このように第４の実施形態によれば、出力する画像ファイルを色空間毎に異なるディレクトリあるいは、フォルダに保存する為、後の画像の管理を容易に行うことが出来る。
【００９３】
＜第５の実施形態＞
次に、一度の撮像に対し、２つの色空間（ｓＲＧＢとａｄｏｂｅＲＧＢ）の画像を各色空間毎にファイル名を変更し、外部記憶装置１１１に出力する動作について以下に説明する。
【００９４】
図７は、本発明の第５の実施形態の形態にかかるデジタルスチルカメラ１００の動作例を示すフローチャートである。以下、このフローチャートを参照して説明する。ｓ７０１〜ｓ７０６まではｓ６０１〜ｓ６０６と同じなので説明は省略する。
【００９５】
ステップｓ７０６で選択された２つの色空間の画像が出力されるとステップｓ７０７に進む。
【００９６】
ここで、バッファメモリ１１０に記録されているｓＲＧＢの画像を外部記憶装置１１１に記録する前にｓＲＧＢの画像のファイル名を「ｓ００００．ｊｐｇ」とする。（ステッ７４０７）ファイル名は本実施形態では「ｓ」としているが、色空間毎に異なる名前であれば、これに限定はしない。
【００９７】
ｓ７０８では選択された色空間の画像が全て外部記憶装置１１１に記録されたかどうかを判別する。現段階ではｓＲＧＢのみ記録され、ａｄｏｂｅＲＧＢは記録されていない為、ステップｓ７０７に戻り、バッファメモリ１１０に記録されているｓＲＧＢの画像のファイル名を「ａｄｏｂｅ００００．ｊｐｇ」とした後、画像を外部記憶装置１１１に記録する。ファイル名は本実施形態では「ａｄｏｂｅ」としているが、色空間毎に異なる名前であれば、これに限定はしないが、色空間の名前を付加することにより、ファイル名を見ただけで画像の色空間を判別することが出来るようになる。
【００９８】
前記ファイル名（ｓ００００．ｊｐｇやａｄｏｂｅ００００．ｊｐｇ）において００００はファイル番号を示しており、各色空間毎のデータを外部記憶装置に記憶する毎にカウントを１ずつ上げていく。本実施形態ではカウント数はマイコン１１２内で色空間毎に個別に管理するが、色空間を区別せずにカウント数を管理しても良い。その場合には本実施形態では、「ｓ００００．ｊｐｇ」と「ａｄｏｂｅ０００１．ｊｐｇ」というファイルが出力される。
【００９９】
以上で選択された全ての色空間の画像が出力されたので、処理は終了する（ステップｓ７０８）。
【０１００】
このように出力する画像ファイルに色空間毎に異なるファイル名を付加する為、後の画像の管理を容易に行うことが出来る。
【０１０１】
＜第６の実施形態＞
次に、一度の撮像に対し、２つの色空間（ｓＲＧＢとａｄｏｂｅＲＧＢ）の画像を各色空間毎に拡張子を変えて、外部記憶装置１１１に出力する動作について以下に説明する。
【０１０２】
図８は、本発明の第６実施形態の形態にかかるデジタルスチルカメラ１００の動作例を示すフローチャートである。ｓ８０１〜ｓ８０６まではｓ６０１〜ｓ６０６と同じなので説明は省略する。
【０１０３】
ステップｓ８０６で選択された２つの色空間の画像が出力されるとステップｓ８０７に進む。
【０１０４】
バッファメモリ１１０に記録されているｓＲＧＢの画像の拡張子を「ＩＭＧ＿００００．ｓｊｐｇ」とする。（ステップｓ８０７）ファイル名は本実施形態では「ｓｊｐｇ」としているが、色空間毎に異なる拡張子であれば、これに限定はしない。
【０１０５】
ｓ８０８では選択された色空間の画像が全て外部記憶装置１１１に記録されたかどうかを判別する。現段階ではｓＲＧＢのみ記録され、ａｄｏｂｅＲＧＢは記録されていない為、ステップｓ８０７に戻り、バッファメモリ１１０に記録されているｓＲＧＢの画像のファイル名を「ＩＭＧ＿００００．ａｄｏｂｅｊｐｇ」とする。拡張子は本実施形態では「ａｄｏｂｅｊｐｇ」として色空間を示した拡張子名を用いているが、色空間毎に異なる拡張子であれば、これに限定はしない。
【０１０６】
前記ファイル名（ＩＭＧ＿００００．ｓｊｐｇやＩＭＧ＿００００．ａｄｏｂｅｊｐｇ）において００００はファイル番号を示しており、各色空間毎のデータを外部記憶装置に記憶する毎にカウントを１ずつ上げていく。本実施形態ではカウント数はマイコン１１２内で色空間毎に個別に管理するが、色空間を区別せずにカウント数を管理しても良い。その場合には本実施形態のケースでは、「ＩＭＧ＿００００．ｓｊｐｇ」と「ＩＭＧ＿０００１．ａｄｏｂｅｊｐｇ」というファイルが出力される。
【０１０７】
以上で選択された全ての色空間の画像が出力されたので、処理は終了する（ステップｓ８０８）。
【０１０８】
このように、出力する画像ファイルに色空間毎に異なる拡張子を付加する為、後の画像の管理を容易に行うことが出来る。
【０１０９】
以上の実施形態では、記録手段としての外部記憶装置１１を１つしか持たないデジタルカメラに関する形態について説明してきたが、例えばＣＦカード（登録商標）とＳＤ（登録商標）カードの２スロットを有するデジタルカメラの様に、１つ以上の記録手段をもつマルチスロットデジタルカメラであれば、前記実施例を更に応用し、色空間毎に異なる記録手段に画像を記録、もしくは色空間毎に記録手段を選択して画像を記録できるようにしても良い。例えば、ＣＭＹＫデータの画像ファイルはＣＦカード（登録商標）に記録し、ｓＲＧＢデータの画像ファイルはＳＤ（登録商標）カードに記録することによって、直接メモリカードを挿入可能なプリンタで印刷を行う時にＣＭＹＫデータが格納されているＣＦカード（登録商標）のみを用いれば良く、作業の効率化が図れる。
【０１１０】
以上の実施形態では、複数の異なる色空間は、ｓＲＧＢとａｄｏｂｅＲＧＢの２つについて説明して来たが、色空間はこれに限らず、例えば、印刷処理用のＣＭＹＫ、Ｌ＊ａ＊ｂ＊等様々なものが考えられる。これら複数の色空間の設定は、工場出荷時に複数の色空間ごとの画像処理が記憶されている中からユーザが選択するものであっても良いし、工場出荷時に複数の色空間の画像処理が設定されているものも含む。
【０１１１】
実施形態では、ユーザが設定した複数の色空間について、それぞれの色空間に対応する画像処理をデジタルカメラ内で処理してから外部記憶装置に記録する形態について、説明したが、撮像した画像データのヘッダ領域にユーザが設定した色空間情報を色空間を識別可能な識別情報として付加して着脱可能な記憶媒体を含む外部記憶装置に記録し、再生時にヘッダ情報を参照しながら、画像データの各色空間に対応する画像処理を行なうようにしても良い。ヘッダ領域は、画像データごとに付加しても良いし、元となる１つの画像データのヘッダ領域に複数の異なる色空間を識別可能な識別情報を記録するようにしても良い。
【０１１２】
また、再生時に、画像に付加されたヘッダ情報に記録されている各色空間情報を、液晶モニタ１１３にその色空間用の画像処理が施された画像データとともに図１０に示したように表示することにより、処理された画像がどの色空間で表現されているものなのかを確認することが出来る。また、拡張子に色空間を特定する情報が含まれている場合には、拡張子から色空間を判定し、再生時、液晶モニタに表示するようにしても良い。
【０１１３】
また、再生時やＰＣアプリケーション上での画像表示時に、画像に付加されたヘッダ情報に記録されている各色空間情報とブラケット撮影番号情報から、ブラケット撮影された画像を検出し、図１０に示したように、同時に色空間ブラケット撮影された画像だけをヘッダ情報あるいはファイル名に記録されている色空間情報を画像とともに撮像装置上のモニタに表示し、マルチ画像表示するようにしてもよい。こうすることで、ユーザは撮影後、同一のシーンの異なる色空間の画像を容易に比較し、確認することが出来る。
【０１１４】
また、ブラケット画像を表示する際には、その画像がブラケット撮影された画像であることが一目で分かるように、図１０中の「Ｂ」というような色空間ブラケットされた画像用のマーキングまたはアイコンを付加してもよい。この際、ブラケット撮影された画像かどうかの判別は、例えば、予め画像に付加しておいた、ブラケット撮影番号情報をみて、ブラケット撮影情報が０以外であった場合にブラケット撮影であるとして、画像表示部にマーキングを行う。
【０１１５】
再生時に限らず、ヘッダ領域あるいは拡張子の色空間情報は他に印刷装置における印刷処理や他のデバイス用のマッチング処理等に利用することが出来る。
【０１１６】
また、出力先デバイスの色空間に合わせて、撮影画像のヘッダ情報から所望の色空間の画像を検索して一括して出力することも可能である。例えば、色空間設定が、ＣＭＹＫ色空間の画像だけを画像に付加されたヘッダ情報から検索して、印刷時に一括してプリンタへ出力するようにすることができる。こうすることによって、印刷処理の短縮化、簡便化を図ることが可能になる。同様にモニタ用のｓＲＧＢ空間の画像のみを検索してモニタに一括して出力してマルチ画像表示をすることも出来る。
【０１１７】
（他の実施形態）
以上の実施例についてデジタルカメラを例に説明をしたが、本発明はデジタルカメラに限定されること無く、デジタルビデオカメラやデジタルカメラ付き携帯電話、スキャナ等も含まれる。また、カメラとＰＣを有線或いは無線で接続した状態でＰＣからレリーズ指示を出すようなリモート操作によって撮像を行なうものも含まれる。また、１回の撮像指示に応じて自動的に形成される複数の画像を同じディレクトリまたはフォルダに記憶し、別の撮像指示に応じて自動的に形成される複数の画像を前記ディレクトリまたはフォルダとは異なるディレクトリまたはフォルダに記憶するようにしても良い。前述した実施形態の機能を実現するべく各種のデバイスを動作させるように、該各種デバイスと接続された装置あるいはシステム内のコンピュータに対し、前記実施形態の機能を実現するためのソフトウェアのプログラムコードを供給し、そのシステムあるいは装置のコンピュータ（ＣＰＵあるいはＭＰＵ）に格納されたプログラムに従って前記各種デバイスを動作させることによって実施したものも、本発明の範疇に含まれる。
【０１１８】
また、この場合、前記ソフトウェアのプログラムコード自体が前述した実施形態の機能を実現することになり、そのプログラムコード自体、及びそのプログラムコードをコンピュータに供給するための手段、例えば、かかるプログラムコードを格納した記録媒体は本発明を構成する。かかるプログラムコードを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【０１１９】
また、コンピュータが供給されたプログラムコードを実行することにより、前述の実施形態の機能が実現されるだけでなく、そのプログラムコードがコンピュータにおいて稼働しているＯＳ（オペレーティングシステム）あるいは他のアプリケーションソフト等と共同して前述の実施形態の機能が実現される場合にもかかるプログラムコードは本発明の実施形態に含まれることは言うまでもない。
【０１２０】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって前述した実施形態の機能が実現される場合にも本発明に含まれることは言うまでもない。
【図面の簡単な説明】
【０１２１】
【図１】本発明の実施形態に係るデジタルスチルカメラのシステム構成を示すブロック図である。
【図２】撮像素子の色フィルタのベイヤー配列を示す図である。
【図３】本発明の第１の実施形態に係るデジタルスチルカメラの動作を示すフローチャートである。
【図４】本発明の第２の実施形態に係るデジタルスチルカメラの動作を示すフローチャートである。
【図５】本発明の第３の実施形態に係るデジタルスチルカメラの動作を示すフローチャートである。
【図６】本発明の第４の実施形態に係るデジタルスチルカメラの動作を示すフローチャートである。
【図７】本発明の第５の実施形態に係るデジタルスチルカメラの動作を示すフローチャートである。
【図８】本発明の第６の実施形態に係るデジタルスチルカメラの動作を示すフローチャートである。
【図９】各色空間の領域の例を示した図である。
【図１０】色空間ブラケット撮影の表示画面の例である。
【符号の説明】
【０１２２】
１００  デジタルスチルカメラ
１０１  入力装置
１０２  フレームメモリ
１０３  画像処理装置
１０４  色補間処理部
１０５  ホワイトバランス処理部
１０６  色変換処理
１０７  ガンマ補正処理部
１０８  エッジ強調処理部
１０９  データ圧縮部
１１０  バッファメモリ
１１１  外部記憶装置
１１２  マイコン
１１３  モニタ
１１４  Ｉ／Ｏポート
１１５  プリンタ
【図１】
2005192197.tif 000003
【図２】
2005192197.tif 000004
【図３】
2005192197.tif 000005
【図４】
2005192197.tif 000006
【図５】
2005192197.tif 000007
【図６】
2005192197.tif 000008
【図７】
2005192197.tif 000009
【図８】
2005192197.tif 000010
【図９】
2005192197.tif 000011
【図１０】
2005192197.tif 000012